(57)【要約】【課題】  実施の形態は、部品点数の減少、組立性を向上し、回転角度を広くすることができる照明装置を提供する。【解決手段】  導電部を有するライティングダクトに着脱自在に取り付けられるライティングダクト用コンセントにおいて、前記ライティングダクトに設けられた導電部との通電に供される第１外部接続用端子及び第２外部接続用端子を支持する第１内部ケースと、この第１内部ケースとの接合面を有し、前記第１内部ケースに嵌合可能に形成される第２内部ケースと、前記第１内部ケースに設けられ、前記ライティングダクト側に突出形成された第１半筒部と、前記第２内部ケースに設けられ、前記ライティングダクト側に突出形成され、前記第１半筒部と接合されることで筒部が形成される第２半筒部と、前記筒部に嵌合される有底筒状のキャップとを具備する。【選択図】図５
2018055846.tif 000002
【特許請求の範囲】
【請求項１】
導電部を有するライティングダクトに着脱自在に取り付けられるライティングダクト用コンセントにおいて；
前記ライティングダクトに設けられた導電部との通電に供される第１外部接続用端子及び第２外部接続用端子を支持する第１内部ケースと；
この第１内部ケースとの接合面を有し、前記第１内部ケースに嵌合可能に形成される第２内部ケースと；
前記第１内部ケースに設けられ、前記ライティングダクト側に突出形成された第１半筒部と；
前記第２内部ケースに設けられ、前記ライティングダクト側に突出形成され、前記第１半筒部と接合されることで筒部が形成される第２半筒部と；
前記筒部に嵌合される有底筒状のキャップと；
を具備するライティングダクト用コンセント。
【請求項２】
前記第１内部ケースと前記第２内部ケースは、接合された状態で外部ケースに収容される請求項１に記載のライティングダクト用コンセント。
【請求項３】
前記第１内部ケースには、前記筒部内に配置され、前記ライティングダクトに設けられたアース導電部との通電に供されるアースピンとが設けられ、前記第２内部ケースには、前記アースピンに接続されたアース接続用端子とが設けられている請求項１に記載のライティングダクト用コンセント。
【発明の詳細な説明】
【技術分野】
【０００１】
本発明の実施形態は、ライティングダクト用コンセントに関する。
【背景技術】
【０００２】
天井に設置されるライティングダクト用コンセントが知られている。このようなライティングダクト用コンセントは、天井等に設置されたライティングダクトに着脱自在に設けられることができる。このライティングダクト用のコンセントにより、商用電源をライティングダクトを介して照明装置等の機器への電源接続ができると共に、ライティングダクトの長手方向に沿って照明装置等を任意の位置に設置することができ、ライティングの自由度を高めることができる。
【０００３】
ライティングダクト用コンセントは、内部にライティングダクト及び照明装置との接続に供される導電片等が取り付けられている。このため、２つの独立した内部ケースから構成され、導電片等を取り付けた後、これらの内部ケースを組合せ、接合部を超音波溶接することで一体化させ、最後に化粧ケースに収容することで生産している。
【先行技術文献】
【特許文献】
【０００４】
【特許文献１】特開２００９−２０００２３号公報
【発明の概要】
【発明が解決しようとする課題】
【０００５】
２つの内部ケースを一体化させるための超音波溶接は、新規に設備投資が必要であったり、工程の中でも作業時間がかかるという問題があった。コンセントはライティングダクトに挿入されたまま、ライティングダクトの長手方向にスライドされる場合があり、その際のコンセントの向きによっては内部ケース同士の接合部を離間させる方向に力が加わり、隙間が生じる虞があった。隙間が生じると外部から水分やゴミが入る等、信頼性が低下する虞が生じる。
【０００６】
本発明の実施形態は、組立工程を簡素化できると共に、耐久性が高く信頼性の高いコンセントを提供する。
【課題を解決するための手段】
【０００７】
実施形態のライティングダクト用コンセントは、導電部を有するライティングダクトに着脱自在に取り付けられるライティングダクト用コンセントにおいて、前記ライティングダクトに設けられた導電部との通電に供される第１外部接続用端子及び第２外部接続用端子を支持する第１内部ケースと、この第１内部ケースとの接合面を有し、前記第１内部ケースに嵌合可能に形成される第２内部ケースと、前記第１内部ケースに設けられ、前記ライティングダクト側に突出形成された第１半筒部と、前記第２内部ケースに設けられ、前記ライティングダクト側に突出形成され、前記第１半筒部と接合されることで筒部とが形成される第２半筒部と、前記筒部に嵌合される有底筒状のキャップとを具備する。
【発明の効果】
【０００８】
実施形態の照明装置によれば、組立工程を簡素化できると共に、耐久性を高めることで、信頼性を高めることができる。
【図面の簡単な説明】
【０００９】
【図１】図１は、第１の実施形態のライティングダクト用コンセントの外観を示す側面図である。
【図２】図２は、第１の実施形態のライティングダクト用コンセントに組み込まれた内部ケースの組み立て前の状態を示す縦断面図である。
【図３】図３は、第１の実施形態のライティングダクト用コンセントに組み込まれた内部ケースの組み立て前の状態を示す平面図である。
【図４】図４は、第１の実施形態のライティングダクト用コンセントに組み込まれた内部ケースを組み立てた状態を示す縦断面図である。
【図５】図５は、第１の実施形態のライティングダクト用コンセントを示す縦断面図である。
【図６】図６は、第１の実施形態のライティングダクト用コンセント及びライティングダクトを図５に対し直交する向きで切断して示す断面図である。
【発明を実施するための形態】
【００１０】
図１乃至図６は、第１の実施の形態を示す。図１は第１の実施形態のライティングダクト用コンセント１０の外観を示す側面図、図２はライティングダクト用コンセント１０に組み込まれた内部ケースの組み立て前の状態を示す縦断面図、図３はライティングダクト用コンセント１０に組み込まれた内部ケースの組み立て前の状態を示す平面図、図４はライティングダクト用コンセント１０に組み込まれた内部ケースを組み立てた状態を示す縦断面図、図５はライティングダクト用コンセント１０を示す縦断面図、図６はライティングダクト用コンセント１０及びライティングダクトを図５に対し直交する向きで切断して示す断面図である。なお、ライティングダクト用コンセント１０はライティングダクト１００に着脱可能な構成となっている。
【００１１】
図１に示すように、ライティングダクト用コンセント１０は、有底筒状に形成された樹脂材製の外部ケース（化粧ケース）２０を備えている。外部ケース２０にはライティングダクト１００からの取り外しを行うための解除ボタン２９が設けられている。この外部ケース２０には、第１内部ケース３０と第２内部ケース４０とが接合された状態で収納されている。
【００１２】
外部ケース２０は、図５に示すように、内部に凹部２１が設けられており、第１内部ケース３０と第２内部ケース４０を支持する支持部２３，２４が設けられている。また、支持部２３には固定ネジを挿入するためのネジ孔２３ａ、支持部２４には固定ネジを挿入するためのネジ孔２４ａが設けられている。また、図５，６に示すように外部ケース２０の底面にアース接続用端子６２、第１電源供給用端子６５及び第２電源供給用端子６６を外部端子と接続するための孔部２５が設けられている。
【００１３】
第１内部ケース３０は、外縁が外部ケース２０の内壁に沿って形成された樹脂材製のベース部３１を備えている。ベース部３１には、図２中上方（図６におけるライティングダクト１００側）へ突出形成された第１半筒部３２が設けられている。第１半筒部３２の上端には第１結合部３３が形成されると共に、内部に図２中上下方向と平行な壁面を有する内壁部３４が設けられている。ベース部３１には外部ケース２０にネジ止めするためのネジ孔３５が設けられている。また、ベース部３１内部には中空部３６が設けられている。
【００１４】
第２内部ケース４０は、外縁が外部ケース２０の内壁に沿って形成された樹脂材製のベース部４１を備えている。ベース部４１には、図２中上方へ突出形成された第２半筒部４２が設けられている。第２半筒部４２の上端には第２結合部４３が形成されると共に、図２中上下方向と平行な壁面を有する内壁部４４が設けられている。ベース部４１には外部ケース２０にネジ止めするためのネジ孔４５が設けられている。
【００１５】
上述した第１半筒部３２と第２半筒部４２とは接合されることで筒部が形成される。同様に、第１結合部３３と第２結合部４３は組み合わされることで筒部の先端にやや小径の筒部が形成される。第１結合部３３と第２結合部４３にはそれぞれ溝部３３ａ，４３ａが設けられている。さらに、内壁部３４と内壁部４４は組み合わされることにより中空部が形成される。この中空部には、図５に示すように後述するアースピン６０が挿入される。このアースピン６０は中空部３６に挿入された後述する板バネ６１により、図２中上方向に付勢される。板バネ６１は照明器具（不図示）に接続されるアース接続用端子６２に接続されている。
【００１６】
第１内部ケース３０には、図６に示すように第１外部接続用端子６３及び第２外部接続用端子６４が第１半筒部３２及び第２半筒部４２に支持されている。第１外部接続用端子６３及び第２外部接続用端子６４は、それぞれ第１電源供給用端子６５及び第２電源供給用端子６６に接続されている。
【００１７】
上述した第１結合部３３と第２結合部４３は、図４に示すように、有底筒状の固定キャップ５０を被せることにより固定されている。固定キャップ５０の底部５１には、アースピン６０を挿通するための孔部５１ａが設けられている。また、固定キャップ４０の内壁部には突起５２が設けられている。
【００１８】
図６に示すように、ライティングダクト１００は、断面略コ字形で長尺のダクト本体１１０を有している。ダクト本体１１０は、断面略コ字形の金属製の基材の外面全体を合成樹脂製で絶縁性を有する絶縁体により覆って一体形成されている。ダクト本体１１０の下面には開口部１１１が長手方向に沿って形成されている。また、この開口部１１１の両側に一対の支持縁部１１２が形成されている。一対の支持縁部１１２はそれぞれ一対の縦壁１１３に支持されており、これら一対の縦壁１１３は天井面に固定される天壁１１４によって一体化されている。一対の縦壁１１３の内壁には一対の導体支持部１２０が長手方向に沿って挿脱自在に取り付けられている。導体支持部１２０はダクト本体１１０をカシめる等して固定されている。導体支持部１２０は、絶縁性の樹脂材等で形成されている。これら各導体支持部１２０には導電体１３０が長手方向に沿って一体に取り付けられている。導電体１３０は導体支持部１２０の成形時に同時にインサート（挿入）されて一体化されている。ライティングダクト１００の天壁１１４にはアース用の導電体１４０が設置されている。
【００１９】
上述したライティングダクト用コンセント１０は、次のようにして組み立てられる。すなわち、図２及び図３に示すように、第１内部ケース３０と第２内部ケース４０とを突き合わせて、外部ケース２０に挿入可能な形状に組み立てる。次に、図４に示すように、固定キャップ５０を第１結合部３３と第２結合部４３によって形成された小径の筒部に被せる。この時、固定キャップ５０の突起５２が溝部３３ａ，４３ａに係合する。この係合により固定キャップ５０の取り外しは困難になる。取り外しが必要な場合には治具等を用いて固定キャップ５０を破壊する必要がある。
【００２０】
このようにライティングダクト用コンセント１０を組み立てることで、第１内部ケース３０と第２内部ケース４０との接合を超音波溶接等を用いることなく、固定キャップ５０を被せるという簡単な作業で強固に結合することができる。また、ライティングダクト用コンセント１０はライティングダクト１００に挿入されたまま、ライティングダクト１００の長手方向にスライドされる場合がある。この時、第１内部ケース３０と第２内部ケース４０の接合部を離間させる方向に力が加わっても、固定キャップ５０によって強固に固定されているため、第１内部ケース３０と第２内部ケース４０の接合部に隙間が生じることがなく、外部から水分やゴミが入ることに起因する信頼性の低下を防止することができる。
【００２１】
したがって、本実施形態に係るライティングダクト用コンセント１０によれば、組立工程を簡素化できると共に、耐久性及び信頼性が高い構成が得られる。
【００２２】
本発明の実施形態を説明したが、この実施形態は、例として提示したものであり、発明の範囲を限定することは意図していない。これら新規な実施形態は、その他の様々な形態で実施されることが可能であり、発明の要旨を逸脱しない範囲で、種々の省略、置き換え、変更を行うことができる。これら実施形態やその変形は、発明の範囲や要旨に含まれるとともに、特許請求の範囲に記載された発明とその均等の範囲に含まれる。
【符号の説明】
【００２３】
１０…ライティングダクト用コンセント、２０…外部ケース（化粧ケース）、２１…凹部、３０…第１内部ケース、３２…第１半筒部、３３…第１結合部、３３ａ…溝部、３６…中空部、４０…第２内部ケース、４２…第２半筒部、４３…第２結合部、４３ａ…溝部、４５…ネジ孔、５０…固定キャップ、５１…底部、５１ａ…孔部、５２…突起、６０…アースピン、６１…板バネ、６２…アース接続用端子、６３…第１外部接続用端子、６４…第２外部接続用端子、６５…第１電源供給用端子、６６…第２電源供給用端子、１００…ライティングダクト。
【図１】
2018055846.tif 000003
【図２】
2018055846.tif 000004
【図３】
2018055846.tif 000005
【図４】
2018055846.tif 000006
【図５】
2018055846.tif 000007
【図６】
2018055846.tif 000008